(57)【特許請求の範囲】
【請求項１】
通行者の所定の水平出入方向に沿って敷設された縦レールと、
前記縦レールに沿って移動可能であって、前記縦レール上の所定の設置位置に設置されたときに前記通行者の出入を規制可能な初設出入管理ゲートと、
前記縦レールに沿って移動可能であって、前記初設出入管理ゲートに代えて、前記設置位置に設置されたときに、前記通行者の出入を規制可能な代替出入管理ゲートと、
を備えた出入管理システム。
【請求項２】
前記初設出入管理ゲートを前記設置位置から前記縦レールに沿って移動して、前記代替出入管理ゲートを前記縦レールに沿って前記設置位置に移動する際に、前記初設出入管理ゲートおよび前記代替出入管理ゲートによって前記通行者の出入を連続して規制できるように構成されていること、を特徴とする請求項１に記載の出入管理システム。
【請求項３】
通行者の出入方向に直角かつ水平方向に配設された横レールと、
通行者の水平出入方向に沿って、入口側または出口側の少なくとも一方に敷設されて前記横レールと複数の交差部で交差する複数個の縦レールと、
前記横レールおよび前記縦レールに沿って移動可能であって、前記交差部上の所定の設置位置に設置されたときに前記通行者の出入を規制可能であって前記横レールに沿って互いに隣接して配列される複数の初設出入管理ゲートと、
前記縦レールおよび前記横レールに沿って移動可能であって、前記複数の初設出入管理ゲートの少なくとも一つに代えて、前記設置位置に設置されたときに、前記通行者の出入を規制可能な代替出入管理ゲートと、
を備えた出入管理システム。
【請求項４】
前記複数の初設出入管理ゲートの少なくとも一つを前記設置位置から前記縦レールに沿って移動し、当該初設出入管理ゲートの前記設置位置に隣接して設置されている他の初設出入管理ゲートを前記横レールに沿って移動し、または前記縦レールに沿って前記初設出入管理ゲートのいずれかの前記設置位置が空いた後に前記代替出入管理ゲートを移動する際に、前記初設出入管理ゲートおよび前記代替出入管理ゲートによって前記通行者の出入を連続して規制できるように構成されていること、を特徴とする請求項３に記載の出入管理システム。
【請求項５】
前記代替出入管理ゲートそれぞれは通行者の出入を規制できるゲート扉を有し、前記縦レールまたは前記横レールに沿って移動する際に、前記それぞれの出入管理ゲートの前記ゲート扉が閉じていて通行者の出入を連続して規制できることを特徴とする請求項１ないし請求項４のいずれか一項に記載の出入管理システム。
【請求項６】
前記初設出入管理ゲートに隣接して出入方向に延びて設けられた通行制限壁を有し、前記通行制限壁は、前記初設出入管理ゲートおよび前記代替出入管理ゲートを前記縦レールに沿って前記設置位置に移動する際に、前記初設出入管理ゲートおよび前記代替出入管理ゲートの外側を通行者が通過するのを阻止することを特徴とする請求項１ないし請求項５のいずれか一項に記載の出入管理システム。
【請求項７】
前記初設出入管理ゲートは複数あって出入方向に直角の水平方向に互いに隣接して並べられていて、互いに隣接する前記初設出入管理ゲートの外側が互いの通行制限壁を構成することを特徴とする請求項６に記載の出入管理システム。
【請求項８】
前記初設出入管理ゲートおよび前記代替出入管理ゲートは、
回転可能なローラーと、
前記ローラーを下降させたときに前記ローラーと前記縦レールとが互いに接触して荷重を支え、前記ローラーを上昇させたときに固定支持部で荷重を支えるように前記ローラーを昇降させる昇降駆動部と、
を有することを特徴とする請求項１ないし請求項７のいずれか一項に記載の出入管理システム。
【請求項９】
前記初設出入管理ゲートおよび代替出入管理ゲートは、前記縦レールに固定可能であることを特徴とする請求項１ないし請求項８のいずれか一項に記載の出入管理システム。
【請求項１０】
複数の初設出入管理ゲートの各設置位置の出入口の少なくとも一方に設けられた縦レール上の設置位置に設置され、通行者の水平方向の出入を規制可能な出入管理ゲートの更新方法において、
撤去対象の前記初設出入管理ゲートの入口側または出口側に隣接して、代替出入管理ゲートを仮置きする代替仮置きステップと、
前記代替仮置きステップの後に、前記初設出入管理ゲートを前記設置位置から前記代替出入管理ゲートの反対側に水平に移動する初設移動ステップと、
前記初設移動ステップの後に、前記代替出入管理ゲートを、前記設置位置に水平に移動し設置を行う代替設置ステップと、
を有し、
前記初設移動ステップおよび代替設置ステップは、前記初設出入管理ゲートおよび前記代替出入管理ゲートによって通行者の出入を連続して規制しながら行われる、
ことを特徴とする出入管理ゲートの更新方法。
【請求項１１】
複数の初設出入管理ゲートの各設置位置の出入口の少なくとも一方に設けられた縦レール上の設置位置に設置され、通行者の水平方向の出入を規制可能な出入管理ゲートの更新方法において、
撤去対象の前記初設出入管理ゲートを前記設置位置から前記設置位置の入口側または出口側に隣接する仮置き位置まで水平に移動する初設仮置きステップと、
前記初設仮置きステップの後に、前記設置位置を挟んで、前記初設出入管理ゲートの移動方向と反対側の入口側または出口側から、代替出入管理ゲートを移動し、前記設置位置に設置する代替設置ステップと、
前記代替設置ステップの後に、前記初設出入管理ゲートを、前記仮置き位置から前記設置位置より遠方に移動する初設撤去ステップと、
を有し、
前記初設仮置きステップおよび前記代替設置ステップは、前記初設出入管理ゲートおよび前記代替出入管理ゲートによって前記通行者の出入を連続して規制しながら行われる、
ことを特徴とする出入管理ゲートの更新方法。
【請求項１２】
複数の初設出入管理ゲートの設置位置を横切る横レールおよび各設置位置の出入口の少なくとも一方に設けられた縦レール上の設置位置に設置され、通行者の水平方向の出入を規制可能な出入管理ゲートの更新方法において、
撤去対象の前記初設出入管理ゲートに隣接する他の初設出入管理ゲートの入口側または出口側に隣接して、代替出入管理ゲートを仮置きする代替仮置きステップと、
前記代替仮置きステップの後に、前記撤去対象の初設出入管理ゲートをその設置位置から前記縦レール上を移動する初設移動ステップと、
前記初設移動ステップの後に、前記他の初設出入管理ゲートを前記撤去対象の初設出入管理ゲートが設置されていた前記設置位置まで前記横レール上を移動する隣接横移動ステップと、
前記隣接横移動ステップにより空きが生じた前記設置位置に前記代替出入管理ゲートを移動する代替設置ステップと、
前記代替設置ステップの後に、前記撤去対象の初設出入管理ゲートを撤去する初設撤去ステップと、
を有し、
前記初設移動ステップ、前記隣接横移動ステップおよび前記代替設置ステップは、前記初設出入管理ゲートおよび前記代替出入管理ゲートによって前記通行者の出入を連続して規制しながら行われる、
ことを特徴とする出入管理ゲートの更新方法。
【請求項１３】
前記初設出入管理ゲートおよび前記代替出入管理ゲートそれぞれは通行者の出入を規制できるゲート扉を有し、
前記各ステップにおいて、前記それぞれの出入管理ゲートの前記ゲート扉を閉じた状態で通行者の出入を連続して規制することを特徴とする請求項１０ないし請求項１２のいずれか一項に記載の出入管理ゲートの更新方法。
【請求項１４】
前記各ステップにおいて、前記初設出入管理ゲートおよび前記代替出入管理ゲートの外側は、通行制限壁により前記通行者の出入を連続して規制することを特徴とする請求項１０ないし請求項１３のいずれか一項に記載の出入管理ゲートの更新方法。
【請求項１５】
前記初設出入管理ゲートは複数あって、前記各ステップにおいて、出入方向に隣接して並べられていて、互いに隣接する前記初設出入管理ゲートの外側により前記通行者の通行が規制されることを特徴とする請求項１０ないし請求項１４のいずれか一項に記載の出入管理ゲートの更新方法。
【発明の詳細な説明】
【技術分野】
【０００１】
本発明は、出入管理システムおよび出入管理ゲートの更新方法に関する。
【背景技術】
【０００２】
原子力発電所等の原子力または放射線に関連する原子力関連施設、あるいは企業などの施設、建物においては、万が一のテロ組織や犯罪組織による破壊行為や盗取行為を未然に防止する必要がある。
【０００３】
このため、これらの施設等には、内部への立ち入りに際して、防護上のチェックポイントとしての立入管理ゲートなど、防護のための設備が設置されているが、この防護のための設備の更新工事の期間中においても、一定のセキュリティ性を確保することが求められており、その確保すべきレベルについても、年々要求されるレベルが高くなっている。
【０００４】
立入管理ゲートに関しては、特許文献１に、構成の変更が可能なセキュリティゲートに関する技術が開示されている。
【先行技術文献】
【特許文献】
【０００５】
【特許文献１】特開２００６−９５４８号公報
【発明の概要】
【発明が解決しようとする課題】
【０００６】
出入管理ゲートは、扉の開閉や放射線被ばくチェック用の検出器の移動等のため、駆動機構、可動部等を有するため、経年における更新を要する機器である。
【０００７】
これらの更新工事の際には、通路上に設けられた既設の機器を撤去し、撤去後の場所に新設機器を据え付けるという作業を行う。この際、一時的に出入管理ゲートにより担保されていた出入通路上の障壁が存在しない状態が発生する。
【０００８】
このような状態が継続する期間の不正通行を防止するために、警備員による立哨や仮設の防護壁の構築等の処置を行っており、常設のゲートに比べて耐突破性が劣り、また更新工事期間の増大や仮設設備の設置等により経費が増大する等の問題があった。
【０００９】
特許文献１のように、立入管理ゲートそれ自体の構成についての技術は開示されているが、出入管理ゲートの更新の際の前記のような課題やその解決手段に関する技術は公開されていない。
【００１０】
そこで、本発明は、出入管理ゲートの更新工事を、既設の出入管理ゲートにより担保されていた出入通路上の障壁が存在しない状態が発生することなくかつ短期間に新設の出入管理ゲートを更新することができるようにすることを目的とする。
【課題を解決するための手段】
【００１１】
上述の目的を達成するため、本発明は、通行者の所定の水平出入方向に沿って敷設された縦レールと、前記縦レールに沿って移動可能であって、前記縦レール上の所定の設置位置に設置されたときに前記通行者の出入を規制可能な初設出入管理ゲートと、前記縦レールに沿って移動可能であって、前記初設出入管理ゲートに代えて、前記設置位置に設置されたときに、前記通行者の出入を規制可能な代替出入管理ゲートと、を備える。
【００１２】
また、本発明は、通行者の出入方向に直角かつ水平方向に配設された横レールと、通行者の水平出入方向に沿って、入口側または出口側の少なくとも一方に敷設されて前記横レールと複数の交差部で交差する複数個の縦レールと、前記横レールおよび前記縦レールに沿って移動可能であって、前記交差部上の所定の設置位置に設置されたときに前記通行者の出入を規制可能であって前記横レールに沿って互いに隣接して配列される複数の初設出入管理ゲートと、前記縦レールおよび前記横レールに沿って移動可能であって、前記複数の初設出入管理ゲートの少なくとも一つに代えて、前記設置位置に設置されたときに、前記通行者の出入を規制可能な代替出入管理ゲートと、を備える。
【００１３】
また、本発明は、複数の初設出入管理ゲートの各設置位置の出入口の少なくとも一方に設けられた縦レール上の設置位置に設置され、通行者の水平方向の出入を規制可能な出入管理ゲートの更新方法において、撤去対象の前記初設出入管理ゲートの入口側または出口側に隣接して、代替出入管理ゲートを仮置きする代替仮置きステップと、前記代替仮置きステップの後に、前記初設出入管理ゲートを前記設置位置から前記代替出入管理ゲートの反対側に水平に移動する初設移動ステップと、前記初設移動ステップの後に、前記代替出入管理ゲートを、前記設置位置に水平に移動し設置を行う代替設置ステップと、を有し、前記初設移動ステップおよび代替設置ステップは、前記初設出入管理ゲートおよび前記代替出入管理ゲートによって通行者の出入を連続して規制しながら行われる、ことを特徴とする。
また、本発明は、複数の初設出入管理ゲートの各設置位置の出入口の少なくとも一方に設けられた縦レール上の設置位置に設置され、通行者の水平方向の出入を規制可能な出入管理ゲートの更新方法において、撤去対象の前記初設出入管理ゲートを前記設置位置から前記設置位置の入口側または出口側に隣接する仮置き位置まで水平に移動する初設仮置きステップと、前記初設仮置きステップの後に、前記設置位置を挟んで、前記初設出入管理ゲートの移動方向と反対側の入口側または出口側から、代替出入管理ゲートを移動し、前記設置位置に設置する代替設置ステップと、前記代替設置ステップの後に、前記初設出入管理ゲートを、前記仮置き位置から前記設置位置より遠方に移動する初設撤去ステップと、を有し、前記初設仮置きステップおよび前記代替設置ステップは、前記初設出入管理ゲートおよび前記代替出入管理ゲートによって前記通行者の出入を連続して規制しながら行われる、ことを特徴とする。
また、本発明は、複数の初設出入管理ゲートの設置位置を横切る横レールおよび各設置位置の出入口の少なくとも一方に設けられた縦レール上の設置位置に設置され、通行者の水平方向の出入を規制可能な出入管理ゲートの更新方法において、撤去対象の前記初設出入管理ゲートに隣接する他の初設出入管理ゲートの入口側または出口側に隣接して、代替出入管理ゲートを仮置きする代替仮置きステップと、前記代替仮置きステップの後に、前記撤去対象の初設出入管理ゲートをその設置位置から前記縦レール上を移動する初設移動ステップと、前記初設移動ステップの後に、前記他の初設出入管理ゲートを前記撤去対象の初設出入管理ゲートが設置されていた前記設置位置まで前記横レール上を移動する隣接横移動ステップと、前記隣接横移動ステップにより空きが生じた前記設置位置に前記代替出入管理ゲートを移動する代替設置ステップと、前記代替設置ステップの後に、前記撤去対象の初設出入管理ゲートを撤去する初設撤去ステップと、を有し、前記初設移動ステップ、前記隣接横移動ステップおよび前記代替設置ステップは、前記初設出入管理ゲートおよび前記代替出入管理ゲートによって前記通行者の出入を連続して規制しながら行われる、ことを特徴とする。
【発明の効果】
【００１４】
本発明によれば、出入管理ゲートの更新工事を、既設の出入管理ゲートにより担保されていた出入通路上の障壁が存在しない状態が発生することなくかつ短期間に新設の出入管理ゲートを更新することができる。
【図面の簡単な説明】
【００１５】
【図１】本発明に係る出入管理ゲートの第１の実施形態の構成を示す鳥瞰図である。
【図２】本発明に係る出入管理ゲートの第１の実施形態の走行部分を示す概念的立面図である。
【図３】本発明に係る出入管理ゲートの第１の実施形態に使用するレールの敷設を示す平面図である。
【図４】本発明に係る出入管理ゲートの第１の実施形態の更新の状態および構成を示す手順図である。
【図５】本発明に係る出入管理ゲートの第１の実施形態の更新の手順を示すブロック図である。
【図６】本発明に係る出入管理ゲートの第１の実施形態の固定方法を示す鳥瞰図である。
【図７】本発明に係る出入管理ゲートの第２の実施形態の更新の状態および構成を示す手順図である。
【図８】本発明に係る出入管理ゲートの第２の実施形態の更新の手順を示すブロック図である。
【図９】本発明に係る出入管理ゲートの第３の実施形態の構成を示す鳥瞰図である。
【図１０】本発明に係る出入管理ゲートの第３の実施形態に使用するレールの敷設を示す平面図である。
【図１１】本発明に係る出入管理ゲートの第３の実施形態の更新の状態および構成を示す手順図である。
【図１２】本発明に係る出入管理ゲートの第３の実施形態の更新の手順を示すブロック図である。
【図１３】本発明に係る出入管理ゲートの第４の実施形態の更新の状態および構成を示す手順図である。
【図１４】本発明に係る出入管理ゲートの第４の実施形態の更新の手順を示すブロック図である。
【図１５】本発明に係る出入管理ゲートの第５の実施形態の更新の状態および構成を示す手順図である。
【図１６】本発明に係る出入管理ゲートの第５の実施形態の更新の手順を示すブロック図である。
【発明を実施するための形態】
【００１６】
以下、図面を参照して本発明に係る出入管理ゲートおよび出入管理ゲートの更新方法の実施形態について説明する。ここで、同一または類似の部分には、共通の符号を付して、重複説明は省略する。
【００１７】
［第１の実施形態］
図１は、本発明に係る出入管理ゲートの実施形態の構成を示す鳥瞰図である。
【００１８】
出入管理ゲート１０は、筐体１１の中に、通行者の出入を規制できるゲート扉１２を有する。通常は複数の出入管理ゲート１０が互いに出入管理ゲート１０への出入り方向（縦方向）に垂直の方向（横方向）に隣接して設置されている。
【００１９】
出入管理ゲート１０への出入り方向（縦方向）に沿って入口側から出口側を通じて縦レール５１が敷設されており、各出入管理ゲート１０は、この各縦レール５１上に設置されている。
【００２０】
図２は、本実施形態による出入管理ゲートの走行部分を示す概念的立面図である。
【００２１】
出入管理ゲート１０は、筐体１１内に、ローラー２０、昇降駆動部２１および昇降連結部２２を有する。昇降駆動部２１は昇降連結部２２を介してローラー２０と接続しており、ローラー２０を上昇および下降させることができる。
【００２２】
ローラー２０は回転可能な構造であって、下降した状態では、縦レール５１上にあり、出入管理ゲート１０の荷重を支える。また、上昇した状態では、縦レール５１から離れ、筐体１１が縦レール５１上に着地し、出入管理ゲート１０の荷重を支える。
【００２３】
縦レール５１の断面形状は、図のようにローラー２０を下側から受けるようになっており、縦レール５１からローラー２０が外れないようになっている。従って、出入管理ゲート１０は縦レール５１に沿って移動可能である。
【００２４】
図３は、本実施形態に使用するレールの敷設を示す平面図である。図に示すように、縦レール５１は、破線で示す出入管理ゲート１０の入口側から出口側に連続して敷設されており、出入管理ゲート１０はその縦レール５１上に設置位置がある。また、図３以降の平面図、手順図は紙面上方から手前側を入口側、紙面上方から奥側を出口側とする。
【００２５】
図４は、本実施形態の更新の状態および構成を示す手順図である。出入管理ゲート１０は、図４の（ａ）に示すように、撤去対象である対象出入管理ゲート１０Ａおよびこの出入方向と垂直な方向（横方向）に隣接する他の出入管理ゲート１０Ｃ、とさらにこれに隣接する他の出入管理ゲート１０Ｄが一列に並んでいる。また、図４の（ａ）に示すようにそれぞれの出入管理ゲート１０の入口側から出入側に縦レール５１が連続的に敷設されており、各出入管理ゲート１０はこの縦レール５１上に設置されている。なお、図中の（ｂ）、（ｃ）、（ｄ）では縦レール５１の図示を省略している。
【００２６】
さらに、端に設置された対象出入管理ゲート１０Ａと、これと反対側の端に設置された他の出入管理ゲート１０Ｄからみて、隣接する他の出入管理ゲート１０Ｃと反対側には、それぞれ通行制限壁６１が横断壁６２の端部に設けられている。なお、図では、通常の横断壁６２が存在する場合を示しているが、通路制限壁６１は、横断壁６２の端部ではなく、出入管理ゲート１０が設置されている設置室の壁そのものであってもよい。
【００２７】
図４は、これらの出入管理ゲート１０のうち対象出入管理ゲート１０Ａを撤去する場合を示している。図５は、本実施形態の更新の手順を示すブロック図である。
【００２８】
図４および図５により、更新の手順を説明する。
【００２９】
まず、図４の（ａ）に示すように、撤去の対象とする対象出入管理ゲート１０Ａに代わり設置しようとする代替出入管理ゲート１０Ｂを、対象出入管理ゲート１０Ａの入口側の縦レール５１上に置く（Ｓ１１）。
【００３０】
ステップＳ１１の後に、図４の（ｂ）に示すように、撤去対象とする対象出入管理ゲート１０Ａを、出口側の縦レール５１上に沿って対象出入管理ゲート１０Ａの出口側に移動する（Ｓ１２）。
【００３１】
ステップＳ１２の後に、図４の（ｃ）に示すように、撤去対象とする対象出入管理ゲート１０Ａを、出口側の縦レール５１上から撤去する（Ｓ１３）。
【００３２】
ステップＳ１３の後に、図４の（ｄ）に示すように、新たに設置する代替出入管理ゲート１０Ｂを、対象出入管理ゲート１０Ａが設置されていた対象出入管理ゲート１０Ａの元設置位置に移動し設置する（Ｓ１４）。
【００３３】
ステップＳ１２とステップＳ１３は連続して行ってもよい。すなわち、図４（ｂ）の状態で一旦止める必要はない。この場合、代替出入管理ゲート１０Ｂが対象出入管理ゲート１０Ａを押し出すように、２つのゲートを列なって移動させてもよい。ステップＳ１２の次にステップＳ１４を行いその後にステップＳ１３を行ってもよい。
【００３４】
ステップＳ１１とステップＳ１４の間の状態においては、図４の（ｃ）の、Ｄ１で示す代替出入管理ゲート１０Ｂと通行制限壁６１間の間隙幅、およびＤ２で示す対象出入管理ゲート１０Ａに隣接する他の出入管理ゲート１０Ｃと代替出入管理ゲート１０Ｂ間の間隙幅は、通行者が通過することができない程度に十分小さくなるような位置に、代替出入管理ゲート１０Ｂが置かれている。
【００３５】
また上記手順の各ステップで、対象出入管理ゲート１０Ａおよび代替出入管理ゲート１０Ｂの各ゲート扉１２は閉鎖状態で、他の各出入管理ゲート１０が規制状態であれば、対象出入管理ゲート１０Ａおよび代替出入管理ゲート１０Ｂ内を経由する通路、および出入管理ゲート１０外を経由する通路は、更新作業期間を通じて規制されることになる。
【００３６】
以上に説明した間隙幅の条件を成立させるために、移動に当たって所定の距離以上に移動しないように、出入管理ゲート１０位置と設置位置との間をたとえばストッパで制限できるようにしてもよい。さらに、あらかじめ所定の間隙に停止できるように、縦レール５１上に代替出入管理ゲート１０Ｂの位置決めマーカを付すこともできる。またステップＳ１１の代替出入管理ゲート１０Ｂの停止時等においては、ローラー２０を上昇させ、筐体１１を縦レール５１に着地させておくことによってゲートが移動することを防ぐことができる。
【００３７】
図６は、本実施形態の出入管理ゲート１０の設置位置における固定方法を示す鳥瞰図である。図２に示す昇降駆動部２１によりローラー２０を上昇させ、筐体１１を縦レール５１上に着地させて、図６のように金具で筐体１１を縦レール５１に固定させ固定部３１とする。
【００３８】
なお、固定部３１は、金具により取り付けている方法を図示しているが、たとえば溶接によって筐体１１を縦レール５１に固定させる方法でもよい。
【００３９】
なお、代替出入管理ゲート１０Ｂを入口側から入れ、対象出入管理ゲート１０Ａを通路上の出口側から撤去するとして説明したが、逆に、代替出入管理ゲート１０Ｂを出口側から入れ、対象出入管理ゲート１０Ａを通路上の入口側から撤去するとしてもよい。すなわち、出口と入口の関係は逆でもよい。
【００４０】
以上のように本実施形態によれば、出入管理ゲートの更新工事を、既設の出入管理ゲートにより担保されていた出入通路上の障壁が存在しない状態が発生することなくかつ短期間に新設の出入管理ゲートを更新することができる。
【００４１】
［第２の実施形態］
図７は、本発明に係る出入管理ゲートの第２の実施形態の更新の状態および構成を示す手順図である。また、図８は、本実施形態の更新の手順を示すブロック図である。
【００４２】
第１の実施形態では、まず、代替出入管理ゲート１０Ｂを入口側に置くが、本実施形態は、図７の（ａ）に示すように、先ず、対象出入管理ゲート１０Ａを設置場所から出口側に移動する（Ｓ１２）。
【００４３】
ここで、移動させた対象出入管理ゲート１０Ａと通行制限壁６１間の間隙幅および隣接していた出入管理ゲートと対象出入管理ゲート１０Ａ間の間隙幅は、図７の（ａ）に示すように、通行者が通過することができない程度に十分小さくなるような位置に、対象出入管理ゲート１０Ａが置かれている。
【００４４】
その後に、図７の（ｂ）のように、代替出入管理ゲート１０Ｂを入口側に置き（Ｓ１１）、図７の（ｃ）のように、代替出入管理ゲート１０Ｂを、対象出入管理ゲート１０Ａの元の設置位置に移動する（Ｓ１４）。
【００４５】
ステップＳ１４の後に、図７の（ｄ）のように、対象出入管理ゲート１０Ａを出口側の縦レール５１から撤去する（Ｓ１３）。
【００４６】
なお、ステップＳ１１の次にステップＳ１３を行い、その次にステップＳ１４を行ってもよい。
【００４７】
以上のように本実施形態によれば、出入管理ゲートの更新工事を、既設の出入管理ゲートにより担保されていた出入通路上の障壁が存在しない状態が発生することなくかつ短期間に新設の出入管理ゲートを更新することができる。
【００４８】
［第３の実施形態］
図９は、本発明に係る出入管理ゲートの第３の実施形態の構成を示す鳥瞰図である。
【００４９】
図では、出入管理ゲート１０の１台を示している。出入管理ゲート１０は、縦レール５１および横レール５２が交差する場所に設置されている。
【００５０】
図１０は、本実施形態に使用するレールの敷設を示す平面図である。
【００５１】
図に示すように、縦レール５１と横レール５２との交差部は、縦レール５１に沿った移動方向および横レール５２に沿った移動方向のいずれの方向にも開放されているため、縦レール５１への移動から交差部において横レール５２の移動方向への方向転換、あるいはこれとは逆の方向転換が可能である。
【００５２】
図中の破線で示すように、出入管理ゲート１０は縦レール５１と横レール５２との交差部にあるときがその設置位置である。すべての出入管理ゲート１０が設置位置に固定されておりインサービス状態にあるときは、各出入管理ゲート１０のゲート扉１２により通行者の出入を規制する。
【００５３】
図１１は、本実施形態の更新の状態および構成を示す手順図である。
【００５４】
図１１の（ａ）に示すように、撤去の対象とする対象出入管理ゲート１０Ａとこれに隣接する他の出入管理ゲート１０Ｃが、出入方向と垂直な横方向に並んでいる。
【００５５】
また、図１１の（ｂ）に示すように、対象出入管理ゲート１０Ａに隣接する他の出入管理ゲート１０Ｃの並び方向に横レール５２が敷設されている。また、対象出入管理ゲート１０Ａの出口側、および対象出入管理ゲート１０Ａに隣接する他の出入管理ゲート１０Ｃの入口側には、それぞれ縦レール５１が敷設されている。なお、図１１中の（ａ）、（ｃ）および（ｄ）では縦レール５１の図示を省略している。
【００５６】
さらに、対象出入管理ゲート１０Ａおよび対象出入管理ゲート１０Ａに隣接する他の出入管理ゲート１０Ｃのそれぞれの隣接側と反対側には、第１の実施形態と同様に通行制限壁６１が設けられている。
【００５７】
図１２は、本実施形態の更新の手順を示すブロック図である。図１１および図１２により、更新の手順を説明する。
【００５８】
まず、撤去しようとする対象の対象出入管理ゲート１０Ａに隣接する他の出入管理ゲート１０Ｃの入口側の縦レール５１上に、新たに設置する代替出入管理ゲート１０Ｂを置く（Ｓ２１）。これは図１１の（ａ）に示す状態である。
【００５９】
次に、対象出入管理ゲート１０Ａを出口側の縦レール５１上に移動させる（Ｓ２２）。これは図１１の（ｂ）に示す状態である。この際、対象出入管理ゲート１０Ａと隣接する他の出入管理ゲート１０Ｃとの間隙幅、および対象出入管理ゲート１０Ａと通行制限壁６１との間隙幅は、通行者が通過することができない程度に十分小さくなるような位置に、対象出入管理ゲート１０Ａが置かれている。
【００６０】
ステップＳ２１およびステップＳ２２の後に、対象出入管理ゲート１０Ａの元の設置場所に隣接する他の出入管理ゲート１０Ｃを、横レール５２上を横レール５２に沿って対象出入管理ゲート１０Ａが設置されていた設置場所まで移動させる（Ｓ２３）。これは図１１の（ｃ）に示す状態である。対象出入管理ゲート１０Ａの元の設置場所に隣接していた他の出入管理ゲート１０Ｃならびに通行制限壁６１と、代替出入管理ゲート１０Ｂ間の間隙幅も、通行者が通過できる間隙幅に対して十分小さな寸法である。
【００６１】
また、ステップＳ２３の後に、代替出入管理ゲート１０Ｂを、対象出入管理ゲート１０Ａの元設置場所に隣接していた他の出入管理ゲート１０Ｃの元設置位置に移動し設置する（Ｓ２４）。
【００６２】
ステップＳ２４の後に、対象出入管理ゲート１０Ａを出口側の縦レール５１上から撤去する（Ｓ２５）。ステップＳ２４、Ｓ２５は、図１１の（ｄ）に示す状態である。
【００６３】
以上のように、対象出入管理ゲート１０Ａ、隣接する他の出入管理ゲート１０Ｃおよび代替出入管理ゲート１０Ｂの各ゲート扉１２は閉鎖状態であれば、対象出入管理ゲート１０Ａ、隣接する他の出入管理ゲート１０Ｃおよび代替出入管理ゲート１０Ｂ内を経由する通路、および出入管理ゲート１０外を経由する通路は、更新作業期間を通じて規制されることになる。
【００６４】
なお、本実施形態では、２つの出入管理ゲート１０が並んでいる場合の更新について説明したが、さらに多くの出入管理ゲート１０が横一列に並んでいる場合は、横レール５２を全ての出入管理ゲート１０の下に敷設するとともに、上記で説明した２つの出入管理ゲート１０の組を構成要素として縦レール５１を配設すればよい。以上に説明した更新方法は、それぞれの組について適用することができる。
【００６５】
本実施形態では、横レール５２を設けることにより、縦レール５１は、隣接する２つの出入管理ゲート１０の一方の入口側と、他方の出口側のみに設ければよい。横レール５２は出入管理ゲート１０の通常の設置状態では、出入管理ゲート１０の下側に隠れており、配置上、出入管理ゲート１０の設置スペースに収まり、出入管理ゲート１０の設置スペースの外側にも設置される縦レール５１を最小にすることができる。
【００６６】
以上のように本実施形態によれば、出入管理ゲートの更新工事を、既設の出入管理ゲートにより担保されていた出入通路上の障壁が存在しない状態が発生することなくかつ短期間に新設の出入管理ゲートを更新することができる。
【００６７】
［第４の実施形態］
図１３は、本発明に係る出入管理ゲートの第４の実施形態の更新の状態および構成を示す手順図である。また、図１４は、本実施形態の更新の手順を示すブロック図である。
【００６８】
本実施形態は、第３の実施形態の変形である。すなわち、第３の実施形態では、先ず、代替出入管理ゲート１０Ｂを、撤去しようとする対象の対象出入管理ゲート１０Ａに隣接する他の出入管理ゲート１０Ｃの入口側の縦レール５１上に置くことが最初のステップである。
【００６９】
一方、本実施形態においては、図１３の（ａ）に示すように、先ず、対象出入管理ゲート１０Ａを、対象出入管理ゲート１０Ａの出口側に、縦レール５１上で移動する（Ｓ２２）。
【００７０】
この際、対象出入管理ゲート１０Ａと隣接する他の出入管理ゲート１０Ｃとの間隙幅、および対象出入管理ゲート１０Ａと通行制限壁６１との間隙幅は、通行者が通過できる間隙幅に対して十分小さな寸法である。
【００７１】
ステップＳ２２の後に、図１３の（ｂ）に示すように、代替出入管理ゲート１０Ｂを、対象出入管理ゲート１０Ａと隣接していた他の出入管理ゲート１０Ｃの入口側の縦レール上に置く（Ｓ２１）。
【００７２】
ステップＳ２１の後に、図１３の（ｃ）に示すように、対象出入管理ゲート１０Ａと隣接していた他の出入管理ゲート１０Ｃを、対象出入管理ゲート１０Ａの元の設置場所に移動する（Ｓ２３）。
【００７３】
ステップＳ２３の後に、図１３の（ｄ）に示すように、対象出入管理ゲート１０Ａを出口側の縦レール５１上から撤去（Ｓ２５）し、また、代替出入管理ゲート１０Ｂを、対象出入管理ゲート１０Ａと隣接していた他の出入管理ゲート１０Ｃの元の設置位置に移動する（Ｓ２４）。
【００７４】
以上のように本実施形態によれば、出入管理ゲートの更新工事を、既設の出入管理ゲートにより担保されていた出入通路上の障壁が存在しない状態が発生することなくかつ短期間に新設の出入管理ゲートを更新することができる。
【００７５】
［第５の実施形態］
図１５は、本発明に係る出入管理ゲートの第５の実施形態の更新の状態および構成を示す手順図である。また、図１６は、本実施形態の更新の手順を示すブロック図である。
【００７６】
本実施形態は、第４の実施形態の変形である。すなわち、ステップＳ２１の後に、対象出入管理ゲート１０Ａと隣接していた他の出入管理ゲート１０Ｃを、対象出入管理ゲート１０Ａの元の設置場所に移動するステップＳ２３の後のステップが第４の実施形態と異なる。
【００７７】
第４の実施形態では、ステップＳ２３の後に、対象出入管理ゲート１０Ａを出口側の縦レール５１上から撤去（Ｓ２５）した後、代替出入管理ゲート１０Ｂを、対象出入管理ゲート１０Ａと隣接していた他の出入管理ゲート１０Ｃの元の設置位置に移動する（Ｓ２４）。
【００７８】
一方、本実施形態では、ステップＳ２３の後に、まず、代替出入管理ゲート１０Ｂを、対象出入管理ゲート１０Ａと隣接していた他の出入管理ゲート１０Ｃの元の設置位置に移動する（Ｓ２４）。ステップＳ２４の後に、対象出入管理ゲート１０Ａを出口側の縦レール５１上から撤去（Ｓ２５）するステップである。
【００７９】
以上のように本実施形態によれば、出入管理ゲートの更新工事を、既設の出入管理ゲートにより担保されていた出入通路上の障壁が存在しない状態が発生することなくかつ短期間に新設の出入管理ゲートを更新することができる。
【００８０】
［その他の実施形態］
以上、本発明のいくつかの実施形態を説明したが、これらの実施形態は、例として提示したものであり、発明の範囲を限定することは意図していない。また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１０・・・出入管理ゲート
１０Ａ・・・対象出入管理ゲート（初設出入管理ゲート）
１０Ｂ・・・代替出入管理ゲート
１０Ｃ・・・他の出入管理ゲート（初設出入管理ゲート）
１０Ｄ・・・他の出入管理ゲート（初設出入管理ゲート）
１１・・・筐体
１２・・・ゲート扉
２０・・・ローラー
２１・・・昇降駆動部
２２・・・昇降連結部
３１・・・固定部
５１・・・縦レール
５２・・・横レール
６１・・・通行制限壁
６２・・・横断壁
【図１】
0005972649.tif 000002
【図２】
0005972649.tif 000003
【図３】
0005972649.tif 000004
【図４】
0005972649.tif 000005
【図５】
0005972649.tif 000006
【図６】
0005972649.tif 000007
【図７】
0005972649.tif 000008
【図８】
0005972649.tif 000009
【図９】
0005972649.tif 000010
【図１０】
0005972649.tif 000011
【図１１】
0005972649.tif 000012
【図１２】
0005972649.tif 000013
【図１３】
0005972649.tif 000014
【図１４】
0005972649.tif 000015
【図１５】
0005972649.tif 000016
【図１６】
0005972649.tif 000017